(57)【特許請求の範囲】
【請求項１】
内装トリム（１０）におけるトリム本体（２０）の収容凹部（２５）内にポケットカバー（３０）の下端側をヒンジ部として、このポケットカバー（３０）を手前側に倒し込むように装着してなる開閉式ポケット（Ｐ）の支持構造において、
前記ポケットカバー（３０）の側壁フランジ（３２）と、上記収容凹部（２５）の側壁面（２６）との間には、一方側にポケットカバー（３０）を回動可能に支持するヒンジピン（２７，３７）並びにポケットカバー（３０）を所定位置で保持するためのクリップ座（２８，３８）が形成され、他方側には、上記ヒンジピン（２７，３７）を受けるピン保持部（３３，５０）、並びに上記クリップ座（２８，３８）に装着された鉄クリップ（４０）を複数の係止位置で係着する係止溝（３４，５１）を有するガイドフランジ（３５，５２）が設けられており、
前記ピン保持部（３３，５０）には開口（３３ａ，５０ａ）が形成され、前記ヒンジピン（２７，３７）と前記ピン保持部（３３，５０）とを同じ高さとなるように水平方向に並べて配置した際、前記ヒンジピン（２７，３７）の周面と前記開口（３３ａ，５０ａ）とが対向するように形成されており、
トリム本体（２０）に対してポケットカバー（３０）を取り付ける際、ヒンジピン（２７，３７）をピン保持部（３３，５０）の前記開口（３３ａ，５０ａ）内に嵌合操作するだけでポケットカバー（３０）の取り付けが完了するとともに、ポケットカバー（３０）の開閉操作に伴ない、鉄クリップ（４０）が、前記ガイドフランジ（３５，５２）に沿って摺接する際、係止溝（３４，５１）への係着方向に沿って伸縮動作することにより、節度感のあるポケットカバー（３０）の開閉操作を可能としたことを特徴とする開閉式ポケットの支持構造。
【請求項２】
前記ガイドフランジ（３５，５２）における係止溝（３４，５１）がラック式係止溝（３４ｆ，５１ｅ）として設定されていることにより、ポケットカバー（３０）の開放角度を無段階に調整できることを特徴とする請求項１に記載の開閉式ポケットの支持構造。
【発明の詳細な説明】
【技術分野】
【０００１】
この発明は、ドアトリム、リヤサイドトリム、ラゲージサイドトリム等の内装トリムに設けられる開閉式ポケットの支持構造に係り、特に、廉価な構造でポケットカバーの取り付けが簡単に行なえるとともに、開閉操作時に不快音が発生することがなく、節度感のある開閉操作が期待でき、使い勝手を高めた開閉式ポケットの支持構造に関する。
【背景技術】
【０００２】
従来の開閉式ポケット構造の代表例としては、例えば、図１７に示すものが知られている。図面において、ドアトリム１は所望の曲面形状に成形されたドアトリム本体２の下部両側が室内側に膨出する膨出部２ａ，２ｂとして形成されており、この膨出部２ａ，２ｂ間にポケット空間を構成する収容凹部３が設定され、この収容凹部３にポケットカバー４が手前方向に倒し込み可能なように回動自在に装着されている。
【０００３】
このポケットカバー４は、図１８に示すように、前面壁４ａと、その両側から略直交方向奥側に張り出し、ポケットカバー４を手前側に倒し込んだ際は、ポケット壁を構成する側壁４ｂが一体化され、両側壁４ｂの下端側に軸孔４ｃが開設されている。そして、この軸孔４ｃと、ドアトリム本体２側の収容凹部３の側壁３ａに設けられている軸孔３ｂとの間にヒンジピン４ｄを挿入することで、ポケットカバー４が回動可能に支持される。更に、ポケットカバー４の側壁４ｂの上部側には、ガイドピン５が突設され、このガイドピン５は、ドアトリム本体２の収容凹部３の側壁３ａに設けられているガイド溝６内にガイドされ、ポケットカバー４の開閉操作時、ポケットカバー４を支持する構成となっている。
【０００４】
そして、図１９に示すように、ポケットカバー４の側壁４ｂとドアトリム本体２の収容凹部３の側壁３ａとの間には、スプリング７が装着され、このスプリング７は、実線で示すポケットカバー４の閉鎖状態においては閉鎖方向に付勢する。一方、ポケットカバー４を手前側に倒し込んだポケットカバー４の開放状態（点線で示す）においては、開放方向にバネ力が付勢するようになっており、上記スプリング７の一端７ａは、ガイドピン５に取り付けられ、反対端７ｂは、収容凹部３の側壁３ａの係止部３ｃに固定されている（特許文献１参照。）。
【０００５】
【特許文献１】特開２００２−３６２２３２号公報
【発明の開示】
【発明が解決しようとする課題】
【０００６】
このように、従来のドアトリム１に設けられる開閉式ポケットは、ドアトリム本体２に設けた収容凹部３内にポケットカバー４をポケットカバー４の側壁４ｂの下端にヒンジピン４ｄを介して回動可能に取り付け、ポケットカバー４の前面壁４ａを手前側に倒し込んでポケットを開放し、その際、ポケットカバー４の側壁４ｂがポケット壁を構成することで、ポケットの開口を大きく確保することができ、スプリング７のバネ力により、ポケットカバー４をそれぞれ閉鎖方向並びに開放方向に付勢するように構成されている。
【０００７】
しかしながら、ドアトリム本体２の収容凹部３にポケットカバー４を装着する作業においては、バネ力を作用させるスプリング７を装着した状態で組み付けなければならず、組付作業が面倒であるという欠点が指摘されている。
【０００８】
更に、上述した開閉式ポケットにおいては、ポケットカバー４の閉鎖状態か、あるいは手前側に倒し込んだ全開状態の２つのポジションでしかポケットカバー４を保持することができない。従って、開放操作途中の任意位置でポケットカバー４を保持することができず、使い勝手の面で改良が望まれていた。また、ポケットカバー４の開閉操作時において、ガイドピン５がガイド溝６内で端末の壁部にぶつかり、その際の不快音が発生し易く、そのための防音対策として、オイル式ダンパーを併用する等の試みもなされており、オイル式ダンパーを併用した場合、コスト高を招くという不具合があった。
【０００９】
この発明は、このような事情に鑑みてなされたもので、トリム本体の収容凹部にポケットカバーを手前側に倒し込むように開閉可能に装着される開閉式ポケットの支持構造であって、特に、ポケットカバーを奥側にワンタッチで嵌め込むことで簡単に組み付けることができ、更に、ポケットカバーの取り外し作業も簡単に行なえ、構成部品が少なく、かつ取付工数も簡素化できることから、コストダウンを招来でき、しかも、開閉時に不快音等が生じることがなく、節度感のある開閉操作が期待できる開閉式ポケットの支持構造を提供することを目的とする。
【課題を解決するための手段】
【００１０】
上記目的を達成するために、本発明は、内装トリムにおけるトリム本体の収容凹部内にポケットカバーの下端側をヒンジ部として、このポケットカバーを手前側に倒し込むように装着してなる開閉式ポケットの支持構造において、前記ポケットカバーの側壁フランジと、上記収容凹部の側壁面との間には、一方側にポケットカバーを回動可能に支持するヒンジピン並びにポケットカバーを所定位置で保持するためのクリップ座が形成され、他方側には、上記ヒンジピンを受けるピン保持部、並びに上記クリップ座に装着された鉄クリップを複数の係止位置で係着する係止溝を有するガイドフランジが設けられており、トリム本体に対してポケットカバーを取り付ける際、ヒンジピンをピン保持部内に嵌合操作するだけでポケットカバーの取り付けが完了するとともに、ポケットカバーの開閉操作に伴ない、鉄クリップが係止溝への係着方向に沿って伸縮動作することにより、節度感のあるポケットカバーの開閉操作を可能としたことを特徴とする。
【００１１】
ここで、開閉式ポケットを適用する内装トリムとしては、ドアトリム、リヤサイドトリム、ラゲージサイドトリム等が挙げられる。そして、ポケットカバーは、合成樹脂の射出成形体等からなり、ポケットカバーの閉鎖時には、内装トリムの製品表面と連接して製品表面を形造る前面壁と、この前面壁から奥側に張り出す左右一対の側壁フランジとから構成され、この側壁フランジは、トリム本体に設けられる収容凹部の側壁面と対応している。
【００１２】
次いで、ポケットカバーの支持構造としては、内装トリムにおけるトリム本体に設けられる収容凹部の側壁面との間にヒンジピンを介してポケットカバーが取り付けられており、このヒンジピンを中心として前面壁が手前側に倒れ込むように回動可能に取り付けられている。従って、ポケットカバーの側壁フランジと内装トリムにおけるトリム本体の収容凹部の側壁面との間には、一方側にヒンジピン、並びにクリップ座が相手側に向けて突出形成されており、他方側にはヒンジピンを受けるピン保持部、並びにクリップ座に装着されている鉄クリップと係着する係止溝が対応位置に設けられている。
【００１３】
また、ポケットカバーを収容凹部の適正位置に一方向操作で嵌め込みが可能となるようにその形状が工夫されている。例えば、トリム本体の収容凹部の側壁面にヒンジピン及びクリップ座が突設形成されている場合は、ポケットカバーの側壁フランジには、ピン保持部及びクリップ座に装着された鉄クリップと係着する係止溝を有するガイドフランジが設けられている。そして、ピン保持部は、ポケットカバーを装着する際にヒンジピンを収容できるように開口が背面側に臨んでおり、ワンタッチでポケットカバーをトリム本体に簡単に装着することができる。また、ポケットカバーを取り外すことも容易に行なえるため、内部の清掃等を簡単に行なえる。
【００１４】
そして、クリップ座に装着した鉄クリップがガイドフランジの係止溝に係着する形態としては、ポケットカバーを開閉操作した時、鉄クリップの先端がガイドフランジ面に沿って動く際、バネの性質上、鉄クリップは左右に動作しようとするが、クリップ座の先端形状によって鉄クリップが上下方向（係止溝に対する係着方向）に動くようにしてあるため、係止溝において節度感のあるポケットカバーの保持が可能となる。
【００１５】
逆に、ポケットカバーの側壁フランジにヒンジピン及びクリップ座を設定した場合には、トリム本体の収容凹部の側壁面にそれぞれヒンジピンを収容するピン保持部と、クリップ座に装着した鉄クリップと係着する係止溝を設けるようにすれば良い。この場合は、ポケットカバーを取り付ける際にヒンジピンがピン保持部に収容できるように、ピン保持部の開口はフロント側に臨むように設定されている。
【００１６】
このように、本発明によれば、トリム本体とポケットカバーの組み付けは、一方側のヒンジピンを他方側のピン保持部に嵌合するだけで簡単にポケットカバーを組み付けることができるとともに、嵌合状態を解除すれば、ポケットカバーを簡単に取り外すことができる。また、ヒンジピンをピン保持部で回動可能に支持する一方、クリップ座に装着した鉄クリップをガイドフランジにおける係止溝に係着することにより、ポケットカバーを所定の開放位置、あるいは閉鎖位置で確実に保持することができる。更に、ポケットカバーの開閉操作時、鉄クリップ先端がガイドフランジ面に沿って摺接動作する際、バネの性質上、鉄クリップは左右に動作する傾向を示すが、クリップ座の先端形状によって鉄クリップは常時上下方向（係止溝に対する係着方向）に動くように規制されるため、常に係着方向にバネ力が加わり、節度感のある開閉操作が期待できる。
【００１７】
以上の構成から明らかなように、本発明に係る開閉式ポケットの支持構造は、ポケットカバーの側壁フランジとトリム本体における収容凹部の側壁面とについて、一方側にヒンジピン及び鉄クリップを装着したクリップ座を設け、他方側にヒンジピンを受けるピン保持部及び鉄クリップと係着する係止溝をもつガイドフランジを設けるという構成が採用されているため、ピン保持部にヒンジピンを嵌合させるワンタッチ操作で組み付けが完了し、簡単に開閉式ポケットを組み付けることができるとともに、逆の操作で容易にポケットカバーを取り外すことができる。従って、構成部品も少ないため、組み付け並びに取り外し操作を廉価に実施することができる。更に、ポケットカバーの開閉操作に応じて、一方側に設けたクリップ座に装着した鉄クリップが他方側のガイドフランジにおける係止溝に対して節度感のある保持がなされるため、不快音が発生することがなく、ポケットカバーの開閉操作性を高めることができる。
【００１８】
次いで、本発明の好ましい実施の形態においては、前記ガイドフランジにおける係止溝がラック式係止溝として設定されていることにより、ポケットカバーの開放角度を無段階に調整できることを特徴とする。そして、この実施の形態によれば、係止溝は、ラック式係止溝として設定されていることから、ポケットカバーを開放操作する際、無段階で開放角度を調整することができるため、使い勝手を高めることができる。
【発明の効果】
【００１９】
以上説明した通り、本発明に係る開閉式ポケットの支持構造は、トリム本体の収容凹部内にポケットカバーを手前側に倒し込み可能なように、その下端側をヒンジ部として回動可能に装着し、ポケットカバーの側壁フランジと、これと対応する収容凹部の側壁面との間で一方側にクリップ座、他方側にクリップ座に装着された鉄クリップと係着する係止溝を有するガイドフランジを設け、トリム本体側へのポケットカバーの装着は、ヒンジピンをピン保持部に嵌合操作するだけで済み、ポケットカバーの組み付け並びに取り外し操作が簡単かつ廉価に行なえ、構造も簡素化できるため、コストダウンを招来できるという効果を有する。
【００２０】
更に、本発明に係る開閉式ポケットの支持構造は、ポケットカバーの側壁フランジと、これと対向する収容凹部の側壁面との間に一方側にクリップ座、他方側にクリップ座に装着した鉄クリップを係着する係止溝を有するガイドフランジを設けるという構成を採用し、ポケットカバーの開閉操作時、ポケットカバーの任意の開放位置で確実に保持することができるため、従来のように、閉鎖位置、全開位置の２つのポジションでしかロックできなかった構造に比べ、ポケット内に収容する物品のサイズに有効に適用でき、使い勝手を高め、かつスペース性能にも優れるとともに、鉄クリップにより節度感のあるポケットカバーの開閉操作が期待でき、操作性を高めることができるという効果を有する。
【発明を実施するための最良の形態】
【００２１】
以下、本発明に係る開閉式ポケットの支持構造について、ドアトリムに設けた開閉式ポケットの実施例に適用して、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例１】
【００２２】
図１乃至図９は本発明の第１実施例を示すもので、図１は本発明に係る開閉式ポケットを採用したドアトリムを示す外観図、図２は本発明に係る開閉式ポケットの支持構造を示す斜視図、図３は本発明に係る開閉式ポケットの支持構造におけるポケットカバーを示す斜視図、図４は本発明に係る開閉式ポケットの支持構造におけるポケットの収容凹部の側壁面を示す斜視図、図５は本発明に係る開閉式ポケットの支持構造におけるポケットカバーの装着作業を示す説明図、図６は本発明に係る開閉式ポケットの支持構造を示す説明図、図７は同支持構造における要部を示す拡大図、図８は同支持構造におけるポケットカバーの開放状態を示す説明図、図９（ａ）〜（ｄ）は本発明に係る開閉式ポケットの支持構造の第１実施例におけるガイドフランジの変形例を示す各説明図である。
【００２３】
図１において、ドアトリム１０は、所要形状に成形されたドアトリム本体２０から構成され、このドアトリム本体２０の下側ほぼ中央に開閉式ポケットＰが設定されている。更に詳しくは、ドアトリム本体２０は、ほぼ中央に車室内側に膨出形成され、乗員が肘を掛けて休めるようにアームレスト２１が形成されており、このアームレスト２１から表面下側に延在するように、ドアトリム本体２０のリヤ側下部に、膨出部２２が形成され、これと対応するように、ドアトリム本体２０のフロント側下部においても、膨出部２３が形成され、このフロント側膨出部２３には、スピーカグリル２４がドアトリム本体２０と一体、あるいは別体に設けられている。
【００２４】
そして、このリヤ側膨出部２２と、フロント側膨出部２３との間に収容凹部２５が画成され、この収容凹部２５に開閉式ポケットＰが採用される。すなわち、図２に示すように、開閉式ポケットＰは、ドアトリム本体２０に設けられる収容凹部２５と、この収容凹部２５に装着されるポケットカバー３０とから構成される。
【００２５】
上記ドアトリム本体２０に設けられる収容凹部２５は、図２，図４に示すように、その側壁面２６にヒンジピン２７とクリップ座２８が突設形成されており、下方に位置するヒンジピン２７は、ポケットカバー３０を開閉可能に支持する機能をもつとともに、クリップ座２８は、ポケットカバー３０の開放位置を任意の角度位置で保持する機能をもつ。尚、クリップ座２８には鉄クリップ４０が装着される。鉄クリップ４０の先端４１は、クリップ座２８の先端２８ａに図４中矢印方向と同一方向に移動可能に保持され、鉄クリップ４０の後端側の両端末４２，４３は、クリップ座２８の固定溝２８ｂ，２８ｃにそれぞれ差込み固定されている。このように、鉄クリップ４０は、クリップ座２８に対して図４中矢印方向に伸縮自在に装着されている。
【００２６】
一方、図３に示すように、ポケットカバー３０は、ポリプロピレン樹脂、ＡＢＳ樹脂、ポリエチレン樹脂等の汎用の熱可塑性樹脂を使用した射出成形体から構成され、前面壁３１は、ポケットカバー３０の閉鎖時においてはドアトリム本体２０の製品表面を構成し、開閉式ポケットＰの前面壁３１の機能をもつとともに、この前面壁３１の両側には、裏面に向けて製品表面から直交する方向に延びる側壁フランジ３２が形成され、この側壁フランジ３２は、上記収容凹部２５の側壁面２６に形成されているヒンジピン２７を回動可能に保持するピン保持部３３が形成されているとともに、クリップ座２８に装着された鉄クリップ４０と係着する係止溝３４ａ〜３４ｄを備えた湾曲状のガイドフランジ３５が突設されている。この実施例においては、ガイドフランジ３５の下縁に沿って４箇所の係止溝３４ａ〜３４ｄが設けられており、一番目の係止溝３４ａに鉄クリップ４０が係着することで、ポケットカバー３０の閉鎖状態が保持され、残る係止溝３４ｂ，３４ｃ，３４ｄについては、それぞれポケットカバー３０の開放角度を一定角度ずつ開放した状態でポケットカバー３０を保持するようになっている。また、ポケットカバー３０における側壁フランジ３２の上半部分には、側壁フランジ３２の剛性を強化するために補強リブ３６が縦横方向に一体化されている。
【００２７】
次いで、図５に基づいて、ポケットカバー３０をドアトリム本体２０に取り付ける作業要領について説明する。すなわち、ポケットカバー３０をドアトリム本体２０の収容凹部２５内に図５中Ａ矢印で示すようにスライド操作して、収容凹部２５の側壁面２６に突設されているヒンジピン２７をポケットカバー３０の側壁フランジ３２のピン保持部３３に開口３３ａを通して嵌合させる（図５中Ｂ矢印で示す）とともに、収容凹部２５の側壁面２６に形成されているクリップ座２８に装着した鉄クリップ４０をポケットカバー３０における側壁フランジ３２に形成したガイドフランジ３５の一番目の係止溝３４ａに嵌め込む（図５中Ｃ矢印で示す）ように装着すれば、鉄クリップ４０をクリップ座２８に装着した後、ポケットカバー３０をドアトリム本体２０にスライド操作して、図６に示すように、ワンタッチでポケットカバー３０をドアトリム本体２０に取り付けることができる。尚、ポケットカバー３０を手前側に倒し込み、係止溝３４ｄから鉄クリップ４０を外すと同時にヒンジピン２７をピン保持部３３から外すことで、簡単にポケットカバー３０を取り外すことができる。
【００２８】
従って、ピン保持部３３、ガイドフランジ３５はポケットカバー３０に一体成形され、ドアトリム本体２０にヒンジピン２７、クリップ座２８が一体成形されているため、別物部品は鉄クリップ４０だけで済むため、部品点数が少なく、構造も簡素化できることから、廉価にポケットカバー３０の組み付け並びに取り外しを完了させることができる。
【００２９】
そして、図７はポケットカバー３０をドアトリム本体２０に対して閉鎖した状態、図８はポケットカバー３０を最大限前方に倒し込んだ全開状態を示しており、本発明によれば、収容凹部２５に設けたヒンジピン２７がポケットカバー３０の側壁フランジ３２におけるピン保持部３３で回動可能に支持されているため、ポケットカバー３０がヒンジピン２７、ピン保持部３３を基点として回動操作することができ、その際、ガイドフランジ３５に設けた４箇所の係止溝３４ａ，３４ｂ，３４ｃ，３４ｄにクリップ座２８に装着された鉄クリップ４０の先端４１が嵌まり込んで、特に、ポケットカバー３０の開閉操作時において、ガイドフランジ３５の下縁に沿って鉄クリップ４０の先端４１が摺接する際、バネの性質上、鉄クリップ４０は左右に動作する傾向を示すが、クリップ座２８の先端２８ａの形状によって鉄クリップ４０は、その動きが上下方向に変換されることになり、中継ポイントとなる係止溝３４ａ，３４ｂ，３４ｃ，３４ｄに向かって鉄クリップ４０の先端４１がバネ付勢されて係着するため、節度感のある開閉操作が期待でき、ダンパー等を使用した際の不快音等が発生することがなく、円滑な操作性が期待できる。
【００３０】
次いで、図９は、開閉式ポケットＰにおける開閉操作時のバリエーションを示すもので、（ａ）は二段階調整式であり、係止溝３４ａ，３４ｂの２箇所でポケットカバー３０の鉄クリップ４０を係着できる。更に、（ｂ）は三段階調整式であり、係止溝３４ａ，３４ｂ，３４ｃの３箇所で鉄クリップ４０を係着できる。また、（ｃ）は五段階調整式であり、係止溝３４ａ，３４ｂ，３４ｃ，３４ｄ，３４ｅの５箇所で鉄クリップ４０を係着できる。最後に（ｄ）は無段階調整式であり、ラック式係止溝３４ｆが設けられており、任意のポイントで鉄クリップ４０を係着できる。そして、いずれのものも、使用形態により適宜選択することができる。
【実施例２】
【００３１】
図１０乃至図１６は本発明の第２実施例を示すもので、この第２実施例におけるポケットの支持構造についても、第１実施例同様、ドアトリム１０におけるドアトリム本体２０の下側ほぼ中央に設定された開閉式ポケットＰに適用されている。そして、ドアトリム本体２０及びポケットカバー３０の基本的な構成は第１実施例と同様であるが、第１実施例と相違する点は、第２実施例においてはポケットカバー３０にヒンジピン３７及び鉄クリップ４０を装着するためのクリップ座３８を設定して、ドアトリム本体２０側に上記ヒンジピン３７や鉄クリップ４０に対する受け部を設けたことが特徴であり、第１実施例と比べ、ポケットカバー３０の支持構造の各部材をポケットカバー３０とドアトリム本体２０にそれぞれ逆に設定した構造が示されている。
【００３２】
まず、図１０に示すように、ポケットカバー３０は、上述したように、基本構成は第１実施例のものと同様であり、前面壁３１はポケットカバー３０の閉鎖時においてはドアトリム本体２０の製品表面を構成し、開閉式ポケットＰの前面壁３１の機能をもつとともに、この前面壁３１の両側には製品表面から裏面に向けて直交する方向に延びる側壁フランジ３２が形成され、この側壁フランジ３２の上半部分には、剛性を補強する補強リブ３６が縦横方向に一体化されている。そして、この第２実施例においては、ポケットカバー３０における側壁フランジ３２にヒンジピン３７及びクリップ座３８が形成され、このクリップ座３８に第１実施例で使用した鉄クリップ４０が伸縮自在に装着されている。
【００３３】
これに対して、上記ポケットカバー３０が装着されるドアトリム本体２０側の構成について図１１を基に説明する。尚、図１１では、ドアトリム本体２０の収容凹部２５が示されている。そして、このドアトリム本体２０についても、基本的な構成は第１実施例と同様であるためその説明は省略するが、ポケットカバー３０を装着する部位は、収容凹部２５が凹設され、ポケットカバー３０の側壁フランジ３２に対応する収容凹部２５の側壁面２６には、ポケットカバー３０のヒンジピン３７を回動可能に保持するピン保持部５０が開口５０ａを前側に臨むように形成されている。そして、ピン保持部５０の上部側には、ポケットカバー３０側のクリップ座３８に装着した鉄クリップ４０を受けるために、３つの係止溝５１ａ，５１ｂ，５１ｃを備えた湾曲状のガイドフランジ５２が突設されている。
【００３４】
次いで、ドアトリム本体２０に対してポケットカバー３０を取り付ける作業手順について説明すると、図１２に示すように、ドアトリム本体２０の収容凹部２５の側壁面２６に設けられているピン保持部５０の開口５０ａを通してポケットカバー３０のヒンジピン３７を図示するように嵌合させるとともに、ドアトリム本体２０側のピン保持部５０の上部側に設けられているガイドフランジ５２の係止溝５１に対してクリップ座３８に装着した鉄クリップ４０の先端４１が嵌まり込むようにガイドさせながら、係止溝５１に鉄クリップ４０を係着させることで、トリム本体２０に対してポケットカバー３０を簡単に組み付けることができる。尚、清掃作業や部品交換時において、ポケットカバー３０を取り外す際は、その逆の操作を行なえば良い。
【００３５】
そして、図１３，図１４に示すように、トリム本体２０にポケットカバー３０を取り付ければ、ポケットカバー３０はヒンジピン３７がドアトリム本体２０のピン保持部５０内で回動自在に支持されているため、ポケットカバー３０は開閉自在に支持されるとともに、鉄クリップ４０が係止溝５１ａ，５１ｂ，５１ｃのいずれかに係着保持されるため、ポケットカバー３０の閉鎖状態、半開状態、全開状態のいずれかのポジションでポケットカバー３０を確実に保持できる。尚、本実施例では３箇所の係止溝５１ａ，５１ｂ，５１ｃが設定されており、図中右側の係止溝５１ａはポケットカバー３０の閉鎖状態を保持するもので、中間の係止溝５１ｂはポケットカバー３０の半開状態を保持し、図中左側の係止溝５１ｃはポケットカバー３０の全開状態を保持している。ポケットカバー３０を外す際は、図中左側の係止溝５１ｃから鉄クリップ４０を外すとともに、ヒンジピン３７をピン保持部５０から取り外せば、簡単にポケットカバー３０の取り外し作業が完了する。このように、第２実施例においても、ドアトリム本体２０に対してポケットカバー３０を簡単な操作で取り付け、あるいは取り外すことができる。
【００３６】
また、図１５は、ポケットカバー３０の全開状態を示しており、ポケットカバー３０の開閉操作に応じて、第１実施例と同様、鉄クリップ４０の先端４１がガイドフランジ５２に沿って摺接する際、バネの性質上、鉄クリップ４０は左右に動作する傾向を示すが、クリップ座３８の先端３８ａの形状によって鉄クリップ４０はその動きが上下方向に変換されることになり、係止溝５１ａ，５１ｂ，５１ｃに向かって鉄クリップ４０の先端４１がバネ付勢されて係着されるため、節度感のある開閉操作が期待でき、ダンパー等を使用した際の不快音が発生することがなく、円滑な操作性が期待できる点は第１実施例と同様である。
【００３７】
次いで、図１６（ａ），（ｂ），（ｃ）は、それぞれ第２実施例における開閉式ポケットＰの開閉操作時のバリエーションを示すもので、図１６（ａ）は二段階調整式であり、係止溝５１ａ，５１ｂの２箇所でポケットカバー３０をロックでき、閉鎖状態、開放状態のそれぞれを保持できる。更に、図１６（ｂ）は四段階調整式であり、係止溝５１ａ，５１ｂ，５１ｃ，５１ｄの４箇所で鉄クリップ４０を係着できる。また、図１６（ｃ）は無段階調整式であり、ラック式係止溝５１ｅが設けられており、任意のポイントで鉄クリップ４０を係着でき、ポケットカバー３０の開放角度を無段階で調整できる。そして、いずれのものも使用形態により適宜選択することができる。
【産業上の利用可能性】
【００３８】
実施例において、ドアトリム本体２０における収容凹部２５内にポケットカバー３０を前倒し可能に支持するという構成が採用されているが、リヤサイドトリム、ラゲージサイドトリム等の開閉式ポケットＰの構成に適用することもできる。
【図面の簡単な説明】
【００３９】
【図１】本発明に係る開閉式ポケットを装備したドアトリムを示す外観図である。
【図２】本発明に係る開閉式ポケットの支持構造の第１実施例を示す斜視図である。
【図３】本発明に係る開閉式ポケットの支持構造の第１実施例におけるポケットカバーを示す斜視図である。
【図４】本発明に係る開閉式ポケットの支持構造の第１実施例におけるポケット収容凹部を示す斜視図である。
【図５】本発明に係る開閉式ポケットの支持構造の第１実施例におけるポケットカバーの装着作業手順を示す説明図である。
【図６】本発明に係る開閉式ポケットの支持構造の第１実施例におけるポケットカバーの閉鎖状態を示す説明図である。
【図７】図６に示すポケットカバーにおけるガイド機構の構成を示す説明図である。
【図８】本発明に係る開閉式ポケットの支持構造の第１実施例におけるポケットカバーの開放状態を示す説明図である。
【図９】本発明に係る開閉式ポケットの支持構造の第１実施例におけるガイド機構の変形例を示す説明図である。
【図１０】本発明に係る開閉式ポケットの支持構造の第２実施例におけるポケットカバーを示す斜視図である。
【図１１】本発明に係る開閉式ポケットの支持構造の第２実施例におけるポケットカバーの収容凹部を示す斜視図である。
【図１２】本発明に係る開閉式ポケットの支持構造の第２実施例におけるポケットカバーの装着作業手順を示す説明図である。
【図１３】本発明に係る開閉式ポケットの支持構造の第２実施例におけるポケットカバーの閉鎖状態を示す説明図である。
【図１４】図１３に示すポケットカバーにおけるガイド機構の構成を示す説明図である。
【図１５】本発明に係る開閉式ポケットの支持構造の第２実施例におけるポケットカバーの開放状態を示す説明図である。
【図１６】本発明に係る開閉式ポケットの支持構造の第２実施例におけるガイド機構の変形例を示す説明図である。
【図１７】従来の開閉式ポケットを装備したドアトリムを示す斜視図である。
【図１８】従来の開閉式ポケットの構成を示す説明図である。
【図１９】従来の開閉式ポケットの支持構造を示す断面図である。
【符号の説明】
【００４０】
１０  ドアトリム
２０  ドアトリム本体
２１  アームレスト
２２，２３  膨出部
２４  スピーカグリル
２５  収容凹部
２６  側壁面
２７  ヒンジピン
２８  クリップ座
３０  ポケットカバー
３１  前面壁
３２  側壁フランジ
３３  ピン保持部
３３ａ  開口
３４（３４ａ〜３４ｆ）  係止溝
３５  ガイドフランジ
３６  補強リブ
３７  ヒンジピン
３８  クリップ座
４０  鉄クリップ
５０  ピン保持部
５１（５１ａ〜５１ｅ）  係止溝
５２  ガイドフランジ
Ｐ  開閉式ポケット
【図１】
0005093845.tif 000002
【図２】
0005093845.tif 000003
【図３】
0005093845.tif 000004
【図４】
0005093845.tif 000005
【図５】
0005093845.tif 000006
【図６】
0005093845.tif 000007
【図７】
0005093845.tif 000008
【図８】
0005093845.tif 000009
【図９】
0005093845.tif 000010
【図１０】
0005093845.tif 000011
【図１１】
0005093845.tif 000012
【図１２】
0005093845.tif 000013
【図１３】
0005093845.tif 000014
【図１４】
0005093845.tif 000015
【図１５】
0005093845.tif 000016
【図１６】
0005093845.tif 000017
【図１７】
0005093845.tif 000018
【図１８】
0005093845.tif 000019
【図１９】
0005093845.tif 000020